(57)【要約】【課題】  比較的安価に済み有効な避難場所として機能を発揮できる津波・洪水等の非常事態からの避難装置を提供すること。【解決手段】３本以上の辺からなる正多角形の頂点位置に対応すべく設置基盤から固定して立設される複数本の支柱と、これら支柱の隣合う間を正多角形をなすように相互に連結しかつ上下に複数階に亘るように配される横連結材と、支柱と最も上層階の横連結材を利用して構成される避難ステージと、地上からの避難者を設置基盤から各階ごとに介して避難ステージまで導くことのできる階段である昇降手段とを備えており、前記支柱のうち周方向において隣合う２本は、襲来してくる津波に同時直面して対抗し得る配置関係に設定されているとともに、前記各階を結ぶ昇降手段のうち下層階用のものは、前記正多角形内に全体が収まるように配置されていることを特徴とする。【選択図】  図２
2005325682.tif 000002
【特許請求の範囲】
【請求項１】
３本以上の辺からなる正多角形の頂点位置に対応すべく設置基盤から固定して立設される複数本の支柱と、これら支柱の隣合う間を正多角形をなすように相互に連結しかつ上下に複数階に亘るように配される横連結材と、支柱と最も上層階の横連結材を利用して構成される避難ステージと、地上からの避難者を設置基盤から各階ごとに介して避難ステージまで導くことのできる階段である昇降手段とを備えており、前記支柱のうち周方向において隣合う２本は、襲来してくる津波に同時直面して対抗し得る配置関係に設定されているとともに、前記各階を結ぶ昇降手段のうち下層階用のものは、前記正多角形内に全体が収まるように配置されていることを特徴とする津波・洪水等の非常事態からの避難装置。
【請求項２】
請求項１記載のものにおいて、隣合う２本の支柱より前方には、津波襲来に伴う衝撃を前もって受ける予備緩衝手段が設けられていることを特徴とする津波・洪水等の非常事態からの避難装置。
【発明の詳細な説明】
【技術分野】
【０００１】  この発明は、津波・洪水等の非常事態からの避難装置に関する。
【背景技術】
【０００２】  古来から巨大地震が発生すると当然のように津波（非常事態の１つ）が発生し、この津波は海岸線から押し寄せて大勢の人や民家などを呑み込み甚大な被害を与えてきたことはよく知られている。
【発明の開示】
【発明が解決しようとする課題】
【０００３】  しかし、これまでは、大規模な堤防や水門を造って津波に対処するだけで、有効な津波対策は講じられていなかったのが現状である。
【課題を解決するための手段】
【０００４】この発明は前記課題を解決するためになされたもので、請求項１記載の発明は、３本以上の辺からなる正多角形の頂点位置に対応すべく設置基盤から固定して立設される複数本の支柱と、これら支柱の隣合う間を正多角形をなすように相互に連結しかつ上下に複数階に亘るように配される横連結材と、支柱と最も上層階の横連結材を利用して構成される避難ステージと、地上からの避難者を設置基盤から各階ごとに介して避難ステージまで導くことのできる階段である昇降手段とを備えており、前記支柱のうち周方向において隣合う２本は、襲来してくる津波に同時直面して対抗し得る配置関係に設定されているとともに、前記各階を結ぶ昇降手段のうち下層階用のものは、前記正多角形内に全体が収まるように配置されていることを特徴とする。
請求項２記載の発明は、請求項１記載のものにおいて、隣合う２本の支柱より前方には、津波襲来に伴う衝撃を前もって受ける予備緩衝手段が設けられていることを特徴とする。
【発明の効果】
【０００５】  この発明の津波・洪水等の非常事態からの避難装置によれば、比較的安価に済み有効な避難場所として機能を発揮できる津波・洪水等の非常事態からの避難装置を提供することができる。
【発明を実施するための最良の形態】
【０００６】  以下、図示した各実施形態を参照してこの発明を詳細に説明するが、各実施形態において個々に説明される案は、当該案を含む実施形態以外の他の実施形態にも適用され得るものとする。
図１および図２はその一実施形態を示すもので、４０は設置基盤で、海岸に臨む場所や市街地の空き地などに人工的に造られたコンクリートやアスファルト基盤、公園や広場などの地盤の他、海岸の砂浜や海岸から離れた海底地盤のこともある。上記設置対象に限定されないことはいうまでもない。【０００７】  図１（津波が襲来する方向である図２のＸ方向からみた正面図）および図２は、設置基盤４０上に主固定手段などにより立設された避難タワー４１を示すもので、タワー４１は、４本の縦向き支柱４２…を隣合う関係をなすように水平な横連結材４３…で連結一体化した下段タワー本体４４、中段タワー本体４５、および上段タワー本体４６の３段構成でなっている。４７は中継フランジで、前記タワー本体４４，４５，４６相互を連結するためのもので、これらのタワー本体４４，４５，４６を分割合体式としたのは、運搬の至便性を考慮したためである。ここで、周方向に隣合う２本の支柱４２，４２が津波の襲来してくる方向Ｘに先行して同時直面して対抗し得る配置関係に設定されている。【０００８】  上段タワー本体４６には、上からみて矩形をなすように横長状の受枠５０が形成され、その枠内に歩み板５１が固定されている。歩み板５１には、昇降口が明けられている。そして、受枠５０上には、支柱４２などを介して手摺り５２がぐるりに張られている。タワー上端には、ソーラーパネル５３が装備されている。このタワーは、牽張ワイヤ５４で引っ張り固定されている。５５はブレースである。【０００９】  こうした避難タワー４１には、内回り式の階段（昇降手段）５６…が前記開口まで到るように配備されている。ここで、設置基盤４０から次の２階→３階→４階→５階→避難ステージ５１までの全ての階段５６が支柱４２…および横連結材４３…で囲まれる正多角形スペースの中に収まるように構成されている。
尚、図２のタワー正面側には、仮想線で示すように、津波がタワー４１に襲来する前にその津波を左右に分散させてタワー４１にダイレクトにエネルギーが当らないようにする太パイプ状の波切り部材（予備緩衝手段）５８が立設されている。この部材５８とタワー４２とを連結部材５９で互いに補強し合うように連結してもよい。波切り部材５８は、三角形断面でその１頂点を津波のくる方へ向けたものにしてもよい。また、同部材５８は、左右に複数本離間して配備したり、前後複数列配備してもよい。部材５８は金属製であるが、木材あるいはゴム質のものでもよい。【００１０】  さらに、図２に仮想線で示すように、タワー４２の背面に添って昇降する簡易リフター６０を設けて、巻き上げ機により避難者を引き揚げるようにしてもよい。この場合、手摺り５２の一部を開閉自在にしておき、その開口から避難者が入れるようにしておく。また、同リフター６０は、ブーム６１を出し入れ自在にしてより安全性を高めてもよい。
尚、図２に仮想線で示すように、タワー４２の正面側には津波を細分化してエネルギーを減衰させる網成部材６２や縦あるいは横向き多列部材を適宜個所に張ってもよい。【００１１】  図３および図４に示す実施形態は、支柱３５８が３本タイプの避難タワーに関するものである。このタワーの向きは、図３のように、３本のうちの２本の支柱３５８，３５８を結ぶ辺である横連結材３７０が津波Ｘが押し寄せてくる側に先行して同時直面して対抗し得る配置関係に設定されている。【００１２】  支柱３５８は、下部支柱ａが太径で上部支柱ｂがやや細径の２段階構成になっている。下部支柱ａには、その下端に下フランジ３５９が上端に上フランジ３６０が設けられるとともにパイプ中間２個所には受フランジ３６１がそれぞれ設けられている。下フランジ３５９は、コンクリートでなる地盤３６２にアンカー止めされているが、前記実施形態のように設置基盤３６２内に埋め込み固定するようにしてもよい。受フランジ３６１同士を介して下梁（横連結材）３６３が連結固定され、これら下梁３６３は、上からみて正三角形でその中に三角形の吹き抜け空間が形成されるように配置されている。この正三角形の１つの内角部分には、脱着自在な階段３６４からの避難者が次の階段３６４に乗り移る際のステップ（図示省略）がそれぞれ設けられている。３６５は補助手摺り、３６６はブレースである。【００１３】  上部支柱ｂも同様に、前記上フランジ３６０に止着具で脱着自在に結合する下フランジ３６８を備えるとともに上端には上フランジ３６９を備えかつ中間に受フランジ３７０を備える。受フランジ３７０を介して上梁（横連結材）３７１を連結固定し正三角形を形成するようにしてある。上端梁３７２は、図３８のような変形的な三角形を形成し、その面内に、吹き抜け空間を形成するように避難ステージ３７３を張り渡して避難場所を構成してある。３７４は脱着自在な上階手摺りで、適宜にブレース３７５を張ってある。尚、これらのブレース３７５のあるものは、上部支柱ｂと下部支柱ａとの間に張られてこれら相互を引っ張り連結するようになっている。そして、避難ステージ３７３の三角形の開口内縁に階段３６４を掛け止めして避難場所に登れるようにしてある。３７６は電動（手動への切り換えも可能）ウインチで、階段３６４とともにあるいは単独で避難者を引き上げることに利用される。このウインチ３７６は、上部支柱ｂ上に設けた天フレーム３７７に備え付けてある。このフレーム３７７上にはソーラーパネル３７８をセットしてもよい。【００１４】  図５および図６の実施形態は、４本タイプの支柱４５９…を地盤埋め込みあるいはアンカー固定して立設した避難タワーの内部空間に、ユニット式部屋構成体４６０…を積層配備したものである。この部屋構成体４６０は、支柱４５９回りに装備した緩衝材４６１により外部に抜け出ないようにされている。支柱４５９は上下多段でそれぞれ順次差し込み式に連結するようにしてもよい。避難ステージ４６２についてはこの差し込み式が例示されている。こうすると運搬・組立が能率的になる。図５のように、周方向に隣合う２本の支柱４５９，４５９は、津波の襲来する方向Ｘに先行して同時直面して対抗し得る配置関係に設定され���いる。【００１５】  部屋構成体４６０は積層されて日常はもとより津波到来時にも矢印のように上階へと避難することができる。そのため、底部および天部には開閉可能な蓋とそれに向う階段設備（昇降手段）４６３が設けられている。この階段設備４６３は、支柱４５９…で形成される多角形スペース内に完全に収まるように構成されている。
尚、他の構成として、最も下段には、緩衝材４６１で保護された状態の車庫スペースを形成することができる。この場合、部屋構成体４６０を構成しないことがある。また、最も下段には、水保留タンクを設備して矢印のように避難ステージ４６２への避難者への給水を可能にし支柱４５９への連結あるいはウエイト付加によりタワーの安定性を向上させ得る。部屋構成体４６０を住居・カラオケ室・勉強室・事務所・倉庫などいずれに使用するかは自由である。構成体４６０外面には別途緩衝手段を装備してより完全な防護を図ることができる。水タンク内あるいは外部には水浄化岩石などを入れて重くしてもよい。【００１６】  図７の実施形態は、山や丘４８６の中腹などにその傾斜面を利用して奥側の支柱が短い避難タワー４８７を設置したものである。実線のものは垂直立設型で、仮想線のものは後倒れ型４８８のものである。後倒れ型４８８のものは、支柱４８９は斜めであることを利用して階段４９０を構成してある。支柱４８９をガイドレールとして昇降装置を構成してもよい。階段４９０の前方にはガードを付してもよい。階段４９０は、タワー内スペースに納まるように配置されている。【００１７】  図８ないし図１１（Ｆは津波の到来する前方）は、津波（洪水も含む）対策用の避難タワーについての他の実施形態を示す。図８はそのタワーの正面図で、手前の方向から津波の到来が想定されるものとして設定されている。図９は図８のＬ−Ｌ線断面図でタワーの１階登り口付近の様子を示すが、津波の到来する方向は図の左方向からとされている。図１０は図８のＭ−Ｍ線断面図で避難ステージに登るまでの階段などの昇降手段を示す。図１１は図８のＮ−Ｎ線断面図で、避難ステージの平面図と昇降手段を示す。【００１８】  このタワーは、正四角形の頂点にくるように互いに離間して平行に配した４本の支柱１１７０…を備える。この支柱１１７０は、図９のように角パイプで長いものでなるが、丸パイプやアングル材、溝形鋼などその他の部材を使用することもできる。これらの支柱１１７０は、図８において図示しない地中から図示の上端まで突き通り、地上からの高さは略１６ｍであるが、設置場所によっては高くすることもある。【００１９】  これらの支柱１１７０間には、四角の各辺に対応するようにして横連結材１１７１…が連結され、これら横連結材１１７１は上下に複数段配備されて一体化されている。複数本の支柱１１７０のうち周方向に隣合う特定の２本の支柱１１７０，１１７０は、津波の襲来してくる前方Ｆに先行して同時直面して対抗し得る配置関係に設定されている。横連結材１１７１と支柱１１７０とは現場で連結一体化されるようにしてもよい。１１７２はコンクリート基盤で、立設したタワーの安定化を図るとともにその後側部分には誘導スロープ１１７３を備えて例えば、老人の方や車椅子などがタワーに乗り込みやすいように配慮してある。【００２０】  支柱１１７０の上部には、避難ステージ１１７４が数十人の避難が可能なように四角形の広い面を提供できるように形成されている。このステージ１１７４は図示しないが縦横の梁で内部が構築され、その上下面に板面を張ったものでなって、地上から略１２ｍ前後の高さに上面があるように設定され��いる。そして、同ステージ１１７４のぐるり外周には、手摺１１７５が高さ１．５ｍ程度に立設されている。同手摺１１７５の内側にやや低い手摺を配備してもよい。手摺１１７５は恐怖心を与えないように２ｍ程度の高いものでもよい。尚、ステージ１１７４内の空間を各種の収納空間としてもよい。また、ステージ１１７４の外周回りには、一体あるいは別体物の収納部を立設してもよく、この収納部は、ステージ１１７４の全ての外周に配したり外周一部に配して残りを手摺にすることも可能である。【００２１】  ４本の支柱１１７０で形成される内部空間には、支柱１１７０および横連結材１１７１で形成される４面の内側に添うように手摺１１７７付きの階段１１７８が設けられている。これら階段１１７８は、支柱１１７０および横連結材１１７１に可及的に連結一体化して強度を高めるものとする。階段１１７８の全てはタワー内部スペース内に完全に納まるように通されている。階段１１７８のステージ１１７４への登り口は、図１１に示すようになっている。【００２２】  これら階段１１７８を備えた支柱１１７０回りには、縦桟（縦ルーバー）１１８０が４面を形成するように配備されている。この縦桟１１８０は、避難する者が津波を直接受けないようにするためと、補強機能を果たすために設けられている他、目隠しとなって階段１１７８を登る避難者に高所での恐怖感を与えないようにする機能もある。同縦桟１１８０は、四角パイプ状のものであるが、アングル材や溝形材、丸パイプなどでもよい。また、縦桟１１８０に代えて斜桟や横桟でもよい。
尚、他の実施形態でも同様であるが、津波避難タワーを近接して複数基立設する場合は、それぞれが独立する方式の他に、タワー相互をワイヤーロープやパイプなどの継ぎにより連結することができる。【００２３】  図９に示すように、縦桟１１８０の背面の下部は四角な切り欠き状に形成され、その個所には開閉自在な扉１１８１が同じくルーバー状のものとして取り付けられている。この扉１１８１は引き戸式にして緊急時の開閉を早急化できるようにしてもよい。【００２４】  １１８３は昇降ガイド胴で、同ガイド胴１１８３は、タワーの中央に位置して地上からステージ１１７４を貫通してそれより上方まで臨むもので、図９のように、４本の内支柱１１８４とこれらを連結する内連結材１１８５および内縦桟１１８６とで四角な高い筒胴体として形成されているとともに、その下部には背面に位置するようにして登り口（開閉扉付き）１１８７が形成され、また上部には図１１のように避難出口１１８８が形成されている。そして、その内部には、電動あるいは手動による簡易リフター１１８９が装備される。この簡易リフターには、津波到来に伴う水面上昇に合わせて追従浮上するタイプのものも含む。尚、この昇降ガイド胴１１８３は、ステージ１１７４と一体化されるとともに、階段１１７８との間では受材１１９０で連結されている。尚、１１９１は落下防止ネットで、昇降ガイド胴１１８３と階段１１７８との間に張られている。また、１１９２はソーラーパネルで支柱１１７０の上端を介して設備される。風力発電装置を設備することもある。【００２５】  １１９４はガードパイプ（予備緩衝手段）で、タワーの前方に緩衝手段１１９５付きのもとで埋設して３乃至４ｍ前後の高さで立設されている。これらガードパイプ１１９４は、タワーの前方において左右に広がりしかも図９のように有効にガイドするため少し後下がり状に湾曲して配置されている。このパイプ１１９４は、金属パイプ製であるが、その回りに緩衝手段を付してもよく、また、パイプ１１９４の互いをワイヤーロープなどで連結してもよい。この緩衝手段としては、パイプ１１９４の回りに変形可能な筒を備えておき、同筒内に底あるいは周面誘引口から海水が入ってその海水が外部負荷に応じて筒が潰されることであとで船などが衝突してくる際の緩衝作用をするようなものも含む。この場合、海水が噴出する速度を可変にする絞りを備えてもよい。筒内に他の緩衝手段を入れておくこともできる。【００２６】  図１２および図１３は、他のタワーについての実施形態を示す。同タワーは、３本（本数は限定されない）の支柱１２２０…とそれらの間を上下複数段にわたって継ぐ連結材１２２１…とで三角柱状の本体を形成している。そして、上部には上下２階層の避難ステージ１２２２が形成されるとともに、地上からは２連の階段１２２３がステージ１２２２に至るように配備されている。階段１２２３の全てはタワー内部スペース内に完全に納まるように通されている。さらに、タワーの上部には、支柱１２２０を利用して風力発電装置１２２４とソーラーパネル１２２５とが装備されている。尚、避難ステージ１２２２は、図１３のように、六角形で広い避難スペースを提供するものになっている。
【図面の簡単な説明】
【００２７】
【図１】  この発明の一実施形態である内階段方式の避難タワーを示す正面図。
【図２】  図１のタワーの側面図。
【図３】  他の実施形態を示す３本支柱タイプの平面図。
【図４】  図３の正面図。
【図５】  他の実施形態を示す避難タワーの平面図。
【図６】  図５の左側面図。
【図７】  他の実施形態を示す左側断面図。
【図８】  他の実施形態を示す津波避難タワーの正面図。
【図９】  図８のＬ−Ｌ線断面図。
【図１０】  図８のＭ−Ｍ線断面図。
【図１１】  図８のＮ−Ｎ線断面図。
【図１２】  他の実施形態を示す避難タワーの正面図。
【図１３】  図１２のＱ−Ｑ線断面図。
【符号の説明】
【００２８】  ４２…支柱  ４３…横連結材  ５１…避難ステージ  ５６…昇降手段（階段）  ５８…波切り部材（予備緩衝手段）。
【図１】
2005325682.tif 000003
【図２】
2005325682.tif 000004
【図３】
2005325682.tif 000005
【図４】
2005325682.tif 000006
【図５】
2005325682.tif 000007
【図６】
2005325682.tif 000008
【図７】
2005325682.tif 000009
【図８】
2005325682.tif 000010
【図９】
2005325682.tif 000011
【図１０】
2005325682.tif 000012
【図１１】
2005325682.tif 000013
【図１２】
2005325682.tif 000014
【図１３】
2005325682.tif 000015